(57)【要約】【課題】温度や波長の変動に拘らず、対物レンズの開口数を正確に変更することができ、応答性の高い開口制限素子を提供すること。【解決手段】第１の基板と第２の基板とに挟持される、正電位または負電位に帯電した遮光性を有する帯電粒子と、帯電粒子の存在する気密層と、第１の基板における気密層側表面にともに設けられる、光束内のレーザ光の開口制限領域に設けた第１の電極と、光束の外側領域に設けられた第２の電極とを備え、第１、第２の電極のそれぞれを正電極と負電極を切り替えることで、開口制限領域と光束の外側に帯電粒子を移動させて、光束の開口制限を行うように構成する。【選択図】図１
2009048685.tif 000002
【特許請求の範囲】
【請求項１】
光ピックアップ装置に用いられる、レーザ光源から出射される光束を開口制限する開口制限素子において、
第１の基板と第２の基板とに挟持される気密層と、
前記第１の基板における気密層側表面にともに設けられる、前記光束内の開口制限領域に配設される第１の電極と、光束の外側領域に配設される第２の電極と、
前記第１、第２の電極の表面に配する、正電位または負電位に帯電した遮光性を有する帯電粒子と、を備え、
前記第１、第２の電極のそれぞれを正電極と負電極に切り替えることで、前記開口制限領域と前記光束の外側領域に前記帯電粒子を移動させて、前記光束の開口制限を行う
ことを特徴とする開口制限素子。
【請求項２】
前記第１の電極および第２の電極と対向する前記第２の基板表面に、対向電極を備え、
前記帯電粒子が正電位のときは、前記第２の電極を負電極とするとともに前記対向電極を正電極とすることで、前記帯電粒子を前記第２の電極の表面に集約させて前記光束をそのまま通過させ、前記第１の電極を負電極とするとともに前記対向電極を正電極とすることで、前記帯電粒子を前記第２の電極の表面に集約させて前記光束の開口制限を行い、
前記帯電粒子が負電位のときは、前記第２の電極を正電極とするとともに前記対向電極を負電極とすることで、前記帯電粒子を前記第２の電極の表面に集約させて前記光束をそのまま通過させ、前記第１の電極を正電極とするとともに前記対向電極を負電極とすることで、前記帯電粒子を前記第１の電極の表面に集約させて前記光束の開口制限を行う
ことを特徴とする請求項１に記載の開口制限素子。
【請求項３】
前記第１の電極を正電極とするとともに前記第２の電極を負電極とする状態と、前記第１の電極を負電極とするとともに前記第２の電極を正電極とする状態とを切り替えることで、前記開口制限領域と前記光束の外側領域とに前記帯電粒子を移動させて、前記光束の開口制限を行う
ことを特徴とする請求項１に記載の開口制限素子。
【請求項４】
レーザ光源と対物レンズとの間の光路中に、請求項１から３のいずれか一項に記載の開口制限素子を配し、
開口制限素子駆動電源により前記開口制限素子を制御することにより、前記レーザ光源から出射される光束に対して開口制限を行う
ことを特徴とする光ピックアップ装置。
【発明の詳細な説明】
【技術分野】
【０００１】
本発明は、遮光性を有する帯電粒子を移動させることで光束の開口制御を行う開口制限素子およびこの素子を備えた光ピックアップ装置に関するものである。
【背景技術】
【０００２】
対物レンズに輪体部を設け、その輪体部によって一定の波長に対しては外周部の光量を干渉作用によって見かけ上消失させることによって、ＣＤとＤＶＤのように開口数の規格が異なる光記録媒体に対応可能とする光ピックアップ装置が知られている（例えば特許文献1参照）。
【０００３】
しかしながら、特定の波長に対して干渉作用を生じさせるための輪体部を対物レンズ上に形状加工することは容易ではなく、コストアップや歩留まりの低下を招くという問題があった。また、良好に干渉作用を生じさせるための波長は決まっているので、複数の波長に対応することが難しいという問題があった。
【０００４】
また、液晶フィルタの所定の範囲を通過する光の偏光方向を選択的に偏光させ、偏光ビーム・スプリッタによって偏光方向を変化させた光（又は偏光方向を変化させなかった光）を排除するようにして、高密度ディスクと低密度ディスクから１つのピックアップによってピット情報を検出することができる装置が知られている（例えば、特許文献２参照）。
【０００５】
しかしながら、不要な光を排除するためには、常に偏光ビーム・スプリッタを光路内に設ける必要があり、偏光ビーム・スプリッタによって光量が減少してしまう、又は光路設計において制限を受けるという問題があった。さらに、偏光ビーム・スプリッタは高価であるので、その分装置が高価になってしまうという問題もあった。
【０００６】
また、液晶パネルの所定範囲に電圧を印加し、その範囲をλ／４板として動作させ、その範囲を透過した光のみを変更ビーム・スプリッタによって受光器に導く装置が知られている（例えば、特許文献３参照）。このような装置では、λ／４板として動作させる範囲を選択的に変化させて、液晶パネルを通過する光の径を変化させることができるので、実質的に対物レンズの開口数を変化させることが可能となり、１つの装置でＣＤ及びＤＶＤに対応することができる。
【０００７】
しかしながら、液晶の屈折率は温度によって変化するので、正確にλ／４板として液晶パネルを動作させるには、厳密な温度制御機構が必要となり、その分構造が複雑になるという問題があった。また、液晶の屈折率は波長によって変化するため、複数の波長の光を利用することができないという問題があった。さらに、正確にλ／４旋光しなかった光がノイズとして受光器側に戻ってしまうという問題があった。
【０００８】
また、等間隔で配置された波長選択性回折格子を光路中に挿入し、第１の波長の光を波長選択性回折格子を素通りさせ、第２の波長の光の外周部を波長選択性回折格子によって光軸の外側に回折させる装置が知られている（例えば、特許文献４参照）。このような装置では、第１の波長をＤＶＤ用に用い、第２の波長をＣＤ用に用いることによって、１つの対物レンズによってＤＶＤ及びＣＤに対応することができる。
【０００９】
しかしながら、正確に等間隔で配置された波長選択性回折格子の形状加工は容易ではなく、コストアップや歩留まりの低下を招くという問題があった。また、良好に回折することができる波長は決まっているが、波長は光源の周囲温度によって変動してしまうことか
ら、常に良好な回折を行うためには、厳密な温度制御機構が必要となり、その分構造が複雑になるという問題があった。
【００１０】
【特許文献１】特開２００３−３４４７５９号公報（第４―７頁、第１−３図）
【特許文献２】特許第３０４８７６８号公報（第２−３頁、第１−５図）
【特許文献３】特許第３４７６９８９号公報（第３−５頁、第１−７図）
【特許文献４】実用新案登録第３０３６３１４号公報（第１９−２０頁、第３−５図）
【発明の開示】
【発明が解決しようとする課題】
【００１１】
本発明は、上記課題を解決し、温度や波長の変動に拘らず、対物レンズの開口数を正確に変更することができる開口制限素子を提供することを目的とする。
【００１２】
また、単純な構成で、対物レンズの開口数を正確に変更することができる開口制限素子およびこの素子を備えた光ピックアップ装置を提供することを目的とする。
【課題を解決するための手段】
【００１３】
上記課題を解決するために、本発明の開口制限素子は、基本的に下記記載の構成を採用するものである。
【００１４】
本発明に係る開口制限素子は、第１の基板と第２の基板とに挟持される気密層と、第１の基板における気密層側表面にともに設けられる、光束内のレーザ光の開口制限領域に配設される第１の電極と、光束の外側領域に配設される第２の電極と、第１、第２の電極の表面に配する、正電位または負電位に帯電した遮光性を有する帯電粒子とを備え、第１、第２の電極のそれぞれを正電極と負電極を切り替えることで、開口制限領域と光束の外側領域に帯電粒子を移動させて、光束の開口制限を行うことを特徴とするものである。
【００１５】
また、本発明の開口制限素子は、前述した第１の電極および第２の電極と対向する第２の基板表面に、対向電極を備え、帯電粒子が正電位のときは、第２の電極を負電極とするとともに対向電極を正電極とすることで、帯電粒子を第２の電極の表面に集約させて光束をそのまま通過させ、第１の電極を負電極とするとともに対向電極を正電極とすることで、帯電粒子を第２の電極の表面に集約させて光束の開口制限を行い、帯電粒子が負電位のときは、第２の電極を正電極とするとともに対向電極を負電極とすることで、帯電粒子を第２の電極の表面に集約させて光束をそのまま通過させ、第１の電極を正電極とするとともに対向電極を負電極とすることで、帯電粒子を第１の電極の表面に集約させて光束の開口制限を行うことを特徴とするものである。
【００１６】
また、本発明の開口制限素子は、前述した第１の電極を正電極とするとともに第２の電極を負電極とする状態と、第１の電極を負電極とするとともに第２の電極を正電極とする状態とを切り替えることで、開口制限領域と光束の外側領域に帯電粒子を移動させて、光束の開口制限を行うことを特徴とするものである。
【００１７】
本発明の光ピックアップ装置は、前述した開口制限素子を、レーザ光源と対物レンズとの間の光路中に配し、開口制限素子駆動電源によりこの開口制限素子を制御することにより、レーザ光源から出射される光束に対して開口制限を行うことを特徴とするものである。
【発明の効果】
【００１８】
本発明によれば、可動部品を用いずに開口制限素子を用いて良好に開口制御を行うことが可能となった。
【発明を実施するための最良の形態】
【００１９】
以下図面を参照して、本発明に係る開口制限素子およびこの素子を備えた光ピックアップ装置について説明する。まず、本発明に係る開口制限素子の構成および作用について説明する。図１は、本発明に係る開口制限素子１００の構成および作用を説明するための断面図である。
【００２０】
図１（ａ）に示す様に、本発明の開口制限素子１００は、電気泳動型の開口制限素子であって、２枚の透明基板1及び透明基板２と、これらの間に形成される気密層４と、この気密層４の内部を移動する正電位または負電位に帯電した遮光性の帯電粒子３とを有して構成される。本図面においてはこの気密層４は、シール部材５、６と透明基板１、２とで囲まれた領域に空気が気密封止された形態となっている。そして、図中の２枚の透明基板１、２はガラス材で構成され、シール部材５、６は樹脂から構成されている。
【００２１】
また、この素子における透明基板１には、第２の有効径１４の開口制限領域に設けた第１の電極１０と、第２の有効径１４の光束の外側領域に設けられた第２の電極１１とを気密層４側の表面に形成されている。また、本図において第１、第２の電極１０、１１表面を覆って、表面を平坦化するための絶縁膜１２が形成されているが、この絶縁膜１２は無くても構わない。なお、本構成に置いては、透明基板２には電極を設けていない。
【００２２】
ここで、第１、第２の電極１０、１１の構成について説明する。図２は、図１（ａ）、（ｂ）に示した開口制限素子１００における電極パターンの一例を示す図である。
【００２３】
図２に示すように、透明基板１に設ける電極パターンは、第１の有効径１３と同じ内径を有し、かつ第２の有効径１４と同じあるいは第２の有効径１４よりも大きい外径幅を有する円環形状の第１の電極１０と（本図面では、第２の有効径１４と同じとした第１の電極１０を示している。）、第１の電極の外側に、絶縁のために微小な間隔を空けて配置した円環形状の第２の電極１１とを有する。ここでは、第１の有効径１３と第２の有効径１４との間（第１の電極１０を設けた領域）を開口制限領域としている。
【００２４】
次に、電気泳動型の開口制限素子として機能させる際の本発明の開口制限素子の作用について説明する。以下の説明では、説明を簡単とするために、正電位に帯電された帯電粒子３を用いた例を挙げて説明する。
【００２５】
まず、図１（ａ）に示す様に、第１の電極１０を正電極とするとともに第２の電極１１を負電極とすることにより、正電位に帯電した帯電粒子３は第２の電極１１上に集約される。このときは、Ａ方向から入射する、第２の有効径１４を有する光束に対して何ら作用しない。そのため、従来技術にあるような偏光ビーム・スプリッタによる光量の減少は極力抑えることができる。
【００２６】
次に、図１（ｂ）に示す様に、第２の電極１１を正電極とするとともに第１の電極１０を負電極とすることで、第２の電極１１上に集約された帯電粒子３を、第１の電極１０表面に水平移動させることが出来る。このとき、帯電粒子３は、使用する光束に対して遮光性を有する部材にて形成されているので、Ａ方向から入射する第２有効径１４の光束に対して開口制限を行い、第１の有効径１３の光束を開口制限素子１００から出射させる。
【００２７】
この様に、開口制限素子１００における第１、第２の電極１０、１１を正電極または負電極に切り替えることにより、正電位に帯電した帯電粒子３を透明基板１の主面に対して水平移動させるという単純なデバイス構成で、Ａ方向から開口制限素子１００に入射する光束の開口制限を行うことができる。そして、Ａ方向から入射する、異なる波長の光束に
対してこの開口制限動作を行うことを可能とする。これにより、従来では実現が難しかった多波長対応の開口制限素子とすることができる。
【００２８】
ここで、本発明の開口制限素子１００の構成例として、ＢＤとＤＶＤを用いる場合の具体的な素子構成について説明する。
ＢＤとＤＶＤを用いる場合、ＢＤの開口率（ＮＡ）は０．８５であり、ＤＶＤの開口率（ＮＡ）は０．６５である。したがって、ＢＤ用の対物レンズにおいて、開口比（有効径比）が０．８５：０．６５となるように開口制限領域（第１の電極１０を設けた領域）を定め、第１、第２の電極１０、１１を設定して、開口制限領域に入射する光束を帯電粒子３により遮断することによって光ビームの開口制限を行えば、ＢＤ用の対物レンズをＤＶＤ用の対物レンズの開口率に変換することができる。
【００２９】
但し、このとき使用可能な帯電粒子３は、赤色光に吸収特特性を有するような青色粒子または黒色粒子であることが肝要である。
【００３０】
なお、本発明で用いる帯電粒子３を構成する粒子としては、クーロン力により移動できるものであれば良い。粒子の平均粒径は０．１〜５０μｍが好ましい。粒径がこの範囲より小さいと電荷密度が大きすぎて電極や基板への鏡像力が強すぎ、メモリー性は良いが、電界を反転した場合の追随性が悪くなる。反対に粒子径がこの範囲より大きいと、追随性は良いが、メモリー性は悪くなる。ただし、７μｍを超えると開口制限領域における粒子間を通る光量が増加するため、特に０．１〜７μｍが好ましい。
【００３１】
粒子の作製は、必要な樹脂、帯電制御剤、着色剤、その他添加剤を混練り粉砕しても、あるいはモノマーから重合しても、あるいは既存の粒子を樹脂、帯電制御剤、着色剤、その他添加剤でコーティングしても良い。例えば、帯電粒子３を構成する粒子として、アクリルウレタン樹脂と架橋剤にカーボンブラック、荷電制御剤を添加し、混練り後、ジェットミルにて粉砕分級し作成することができる。
【００３２】
上記した樹脂としては、ウレタン樹脂、アクリル樹脂、ポリエステル樹脂、ウレタン変性アクリル樹脂、シリコーン樹脂、ナイロン樹脂、エポキシ樹脂、スチレン樹脂、ブチラール樹脂、塩化ビニリデン樹脂、メラミン樹脂、フェノール樹脂、フッ素樹脂などが挙げられる。そして、必要に応じて、これら樹脂を単独、あるいは２種類以上用いることができる。
【００３３】
また、帯電制御剤としては、正電荷付与の場合には、4級アンモニウム塩系化合物、ニグロシン染料、トリフェニル系化合物、イミダゾール誘導体が挙げられ、負電荷付与の場合には、含金属アゾ染料、サリチル酸金属錯体、ニトロイミダゾール誘導体などが挙げられる。
【００３４】
有機系着色剤の例としては、塩基性、酸性などの染料が挙げられ、ニグロシン、メチレンブルー、キノリンイエロー、ローズベンガルなどが挙げられる。
【００３５】
無機系着色剤としては、酸化チタン、亜鉛華、硫化亜鉛、酸化アンチモン、炭酸カルシウム、鉛白、タルク、シリカ、ケイ酸カルシウム、アルミナホワイト、チタンイエロー、コバルトブルー、コバルトグリーン、コバルトバイオレット、酸化鉄、カーボンブラック、マンガンフェライトブラック、コバルトフェライトブラック、アルミニウム粉などが挙げられる。
【００３６】
前述した帯電粒子は、顔料の粉砕・造粒等の公知の方法で粒子化でき、通常使用される温度範囲−１０〜８０度においては特性の変化はなく、従来技術にあるような液晶の屈折
率変化による特性の悪化を防ぐことができる。
【００３７】
但し、本発明における電気泳動型の開口制限素子１００において、上記帯電粒子３の吸収によりＣＤやＤＶＤで使用される赤色レーザ光の開口制御をするには、赤色光に対して吸収特性を有する青色や黒色の粒子を使用することが肝要である。また、ＢＤやＨＤ−ＤＶＤにおいて使用される青色レーザ光の開口制御をするには、青色光に対して吸収特性を有する赤色や黒色の粒子を使用することが必要である。
【００３８】
また、本発明では、電気泳動型の開口制限素子１００の開口制御方法に合わせて、粒子径、粒子成分、あるいは着色等がことなる２種類以上の帯電粒子を使用しても良い。この様に２種類以上の帯電粒子を使用することで、複数の波長に対して選択的に開口制限を行うことができる。
【００３９】
また、帯電粒子３を含んで気密封止された気密層４は、先に示した様に、空気層だけでなく、真空、その他の気体であっても構わない。そしてこの気密層４は、できる限り湿度が低くなる様にした方が良い。それにより、粒子の応答性を高めることができる。
【００４０】
また、第１、第２の電極１０、１１には、パターニングが可能であり、かつ高い透明性を有するＩＴＯ（酸化インジウム錫酸化物）等の透明電極を使用するのが好ましい。
【００４１】
さらに、この第１、第２の電極１０、１１の表面には、図１（ａ）（ｂ）に示す様に、絶縁層１２を形成すると良い。絶縁層１２を設ければ、各第１、第２の電極１０、１１からの帯電粒子３への電荷注入を防ぐことができる。この絶縁層１２に用いる材料としては、薄膜でピンホールが形成されにくいものが良い。
【００４２】
具体的には、高い透明性を有するポリイミド樹脂、ポリエステル樹脂、ポリアクリレート樹脂、ポリメタクリート樹脂、ポリカーボネート樹脂、ポリアリレート樹脂、ノボラック樹脂、エポキシ樹脂などを用いることができる。なお、この絶縁膜１２は、第１、第２の電極１０、１１の電極パターンの段差部を平坦化して、帯電粒子３の平行移動をし易くするために設けているものである。したがって、この段差部の影響が少ない場合には、この絶縁膜１２を除いて開口制限素子１００を構成しても一向に構わない。
【００４３】
次に、本発明における開口制限素子の変形例を、図３（ａ）および図３（ｂ）を用いて説明する。
【００４４】
図３（ａ）、（ｂ）に示す様に、本変形例における開口制限素子１００は、図１（ａ）（ｂ）に示した開口制限素子の構成に加え、第２透明基板２の表面に、第１電極１０および第２電極１１と対向する対向電極１６を設けてなる。
【００４５】
これらの第１の電極１０、第２の電極１１、および対向電極１６を、先に示したと同様にして正電極または負電極に切り替えることにより、正電位に帯電した帯電粒子３を透明基板１の主面に対して水平移動させて、開口制限素子１００にＡ方向から入射する光束似対して開口制限を行うことができる。
【００４６】
なお、開口制限素子１００における第１、第２の電極１０、１１の構成は、先に示した形態（図１、図２参照）と同じであるので、ここでは、対向電極１６の形態について説明する。
【００４７】
図４に示すように、対向電極１６の内径は、第１の有効径１３（第１の電極の内径）と同程度とし、対向電極１６の外径は、第２の電極１１の外径と同じ、あるいは大きくして
いる。つまり、ここに示す対向電極１６の形態は、第１の電極１０の内径と、第２の電極１１の外形と一致する円環形状の電極としている。なお、この対向電極１６は、少なくとも第１、第２の電極１０、１１と対向する位置に電極を設ければ良く、透明基板２の全面にベタ電極で設けても構わない。
【００４８】
次に、本変形例における開口制限素子１００の作用の一例について説明する。
まず、図３（ａ）に示す様に、第２の有効径１４を使用する場合、対向電極１６を正電極とするとともに第２電極１１を負電極とすることにより、正電位に帯電している帯電粒子３は、第２電極１１を覆う位置に集約される。このとき、帯電粒子３は、第２の有効径１４よりも外側に配置されるので、Ａ方向から入射する第２の有効径１４を有する光束に対して何ら作用しない。なお、この状態での第１の電極１０は、グランド電位に接地している。
【００４９】
次に、図３（ｂ）に示す様に、対向電極１６を正電極とするとともに第１電極１０を負電極することで、正電位に帯電している帯電粒子３を、第２の電極１１上から第１電極１０を覆う位置に水平移動させることが出来る。このとき、帯電粒子３は、Ａ方向から入射する光束内に配置されることとなるので、開口制限素子１００に入射する第２の有効径１４の光束は、この帯電粒子３によって一部外周が遮光されて、第１の有効径１３を有する光束としてこの素子から出射される。なお、この状態での第２の電極１１は、グランド電位に接地している。
【００５０】
この様に、本発明の開口制限素子１００は、透明基板２表面に、第１、第２の電極１０、１１に対向する対向電極１６が設けられ、この対向電極１６に帯電粒子３が帯電している電位に対して反対電位とした電極となる様に動作させることで、先に示した形態と同様に、開口制限素子１００に入射するＡ方向の光束に対して容易に開口制限を行うことが出来るだけでなく、気密層４中での透明基板２方向への帯電粒子３の浮遊を極力抑制することができる。
【００５１】
なお、上記説明では、説明を簡単とするために、正電位に帯電した帯電粒子３を用いた例について説明したが、負電位に帯電した帯電粒子３を用いた開口制限素子１００の場合は、先に説明した正電極、負電極を逆にして動作させれば良い。具体的には、帯電粒子３が負電位のときは、第２の電極１１を正電極とするとともに対向電極１６を負電極とすることで、帯電粒子３を第２の電極１１の表面に集約させて第２の有効径１４の光束をそのまま通過させ、第１の電極１０を正電極とするとともに対向電極１６を負電極とすることで、帯電粒子３を第１の電極１０の表面に集約させて光束の開口制限を行って、第１の有効径１３の光束を開口制限素子１００から出射させる。
【００５２】
次に、本発明の光ピックアップ装置について説明する。本発明の光ピックアップ装置は、すでに説明してきた開口制限装置を用いることを特徴とする。図５に、本発明の光ピックアップ装置の概略構成を示す。
【００５３】
図５（ａ）（ｂ）に示すように、光ピックアップ装置２００は、第１の光源２１、第１のコリメータレンズ２２、第２の光源２６、第２のコリメータレンズ２７、ハーフミラー２３、偏光ビーム・スプリッタ２４、開口制限素子１００、開口制限素子駆動電源１３０、１／４λ波長板３０、対物レンズ２５、集光レンズ２８、及び受光器２９等を有している。
【００５４】
図５（ａ）は、第１の光源２１を点灯し、ＤＶＤなどの第１の記録媒体１４０を利用する場合を示している。このとき、開口制限素子駆動電源１３０は、開口制限領域に配置された第１、第２の電極１０、１１（変形例の場合は、第１、第２の電極１０、１１と対向
電極１６）に対して、正電位または負電位に帯電している帯電粒子３を電気泳動させるための電位を供給し、第１の光源２１からの光束４０をそのまま通過させる。
【００５５】
第１の光源２１から出射された第１のビームは、第１のコリメータレンズ２２によってほぼ平行光に変換され、ハーフミラー２３、偏光ビーム・スプリッタ２４及び開口制限素子１００を通過して１／４λ波長板３０に入射する。１／４λ波長板３０を通過した有効径を有する光ビームは、対物レンズ２５により第１の記録媒体１４０のトラック面上に集光される。
【００５６】
第１の記録媒体１４０から反射された光ビームは、再び対物レンズ２５、１／４λ波長板３０及び開口制限素子１００を経て、偏光ビーム・スプリッタ２４によって光路が変更され、集光レンズ２８によって受光器２９に集光される。光ビームは、第１の記録媒体１４０により反射される際に、第１の記録媒体１４０のトラック面上に記憶されているピット情報によって振幅変調されており、受光器２９は受光した光ビームを振幅変調に応じた光強度信号として出力する。この光強度信号から第１の記録媒体１４０に記録されている記録情報を読み出すことができる。
【００５７】
図５（ｂ）は、第２の光源２６を点灯し、ＣＤ等の第２の記録媒体１４１を利用する場合を示している。このとき、開口制限素子駆動電源１３０は、開口制限領域に配置された第１、第２の電極１０、１１（変形例の場合は、第１の電極１０または第２の電極１１と対向電極１６）に対して所定の電位を供給し、帯電粒子３を電気泳動させることで開口制御を行う。
【００５８】
第２の光源２６から出射された第２のビームは、第２のコリメータレンズ２７によってほぼ平行光に変換され、ハーフミラー２３、偏光ビーム・スプリッタ２４及び開口制限素子１００を通過して１／４λ波長板３０に入射する。１／４λ波長板３０を通過した有効径を有する光ビームは、対物レンズ２５により第２の記録媒体１４１のトラック面上に集光される。
【００５９】
第２の記録媒体１４１から反射された光ビームは、再び対物レンズ２５、１／４λ波長板３０及び開口制限素子１００を経て、偏光ビーム・スプリッタ２４によって光路が変更され、集光レンズ２８によって受光器２９に集光される。光ビームは、第２の記録媒体１４１により反射される際に、第２の記録媒体１４１のトラック面上に記憶されているピット情報によって振幅変調されており、受光器２９は受光した光ビームを振幅変調に応じた光強度信号として出力する。光強度信号から第２の記録媒体１４１に記録されている記録情報を読み出すことができる。
【００６０】
このように、開口制限素子１００の第１、第２の電極１０、１１へ（変形例の場合は、第１、第２の電極１０、１１と対向電極１６へ）供給する電位を制御することによって、帯電粒子３を透明基板１に対して水平移動させることで、第２の光源２６から出射される光ビームの外周部を帯電粒子３により吸収させ、開口制限領域を通過する光束に対して開口制限することができる。したがって、同一の対物レンズ２５を利用して、異なる厚みのＤＶＤ及びＣＤに対応することができる光ピックアップ装置２００を構成することが可能となる。なお、上述した光ピックアップ装置２００は、ＤＶＤとＣＤを例にして説明したが、これは一例であって、用いるべき開口数が異なる他の方式においても、開口制限領域を最適化することで対応が可能となる。
【００６１】
以上説明したように、本構成を採用することにより、安価な開口制限素子１００でありながら、温度変化に対しての特性変動が無く、確実に複数の波長のビームに対して開口制限を可能とした光ピックアップ装置を提供することができる。
【図面の簡単な説明】
【００６２】
【図１】本発明に係る開口制限素子の構成例および作用を説明するための断面図である。
【図２】本発明に係る開口制限素子の第１および第２電極形状を示す図である。
【図３】本発明に係る開口制限素子の変形例および作用を説明するための断面図である。
【図４】本発明に係る開口制限素子の変形例における対向電極の形状を示す図である。
【図５】本発明に係る開口制限素子を備えた光ピックアップ装置の概略構成図である。
【符号の説明】
【００６３】
１、２  透明基板
３  帯電粒子
４  気密層
５、６  シール部材
１０  第１の電極
１１  第２の電極
１２  絶縁層
１３  第１の有効径
１４  第２の有効径
１６  対向電極
２１  第１の光源
２２  第１のコリメータレンズ
２３  ハーフミラー
２４  偏光ビーム・スプリッタ
２５  対物レンズ
２６  第２の光源
２７  第２のコリメータレンズ
２８  集光レンズ
２９  受光器
３０  １／４λ波長板
４０、４１  光束
１００  開口制限素子
１３０  開口制限素子駆動電源
１４０  第１の記録媒体
１４１  第２の記録媒体
２００  光ピックアップ装置
【図１】
2009048685.tif 000003
【図２】
2009048685.tif 000004
【図３】
2009048685.tif 000005
【図４】
2009048685.tif 000006
【図５】
2009048685.tif 000007